(57)【要約】      （修正有）【課題】就寝時寝返りを打っても位置がずれない腰に巻く腰痛軽減マットを提供する。【解決手段】就寝中に腰に巻き、寝床平面に対する腰部の凹み部分を埋めて、就寝中の身体への荷重が平均化されるための腰の体圧軽減癒しベルト１であって、端部に面ファスナー２０を備えた帯状のベルト部材、該ベルト部材の中間部分に固着され、内部にマイクロビーズ、または化学繊維綿類を挿入したマット状部材３を有する。【選択図】図１
0003170221.tif 000002
【実用新案登録請求の範囲】
【請求項１】
就寝中に腰に巻き、寝床平面に対する腰部の凹み部分を埋めて、就寝中の身体への荷重が平均化されるための腰の体圧軽減癒しベルトであって、
中間部に伸縮部材を有し、端部にマジックテープおよび該マジックテープ受けを備えた帯状のベルト部材、該ベルト部材の中央部分に固着され、内部にマイクロビーズを挿入したマット状部材、該マット状部材の側面に設けられ、上記マイクロビーズの自然移動を防止すると共に、所定の間隔を中心部に設け、該マイクロビーズの手動による移動を可能にした縫い目を有することを特徴とする腰の体圧軽減癒しベルト。
【請求項２】
就寝中に腰に巻き、寝床平面に対する腰部の凹み部分を埋めて、就寝中の身体への荷重が平均化されるための腰の体圧軽減癒しベルトであって、
中間部に伸縮部材を有し、端部にマジックテープおよび該マジックテープ受けを備えた帯状のベルト部材、該ベルト部材の中央部分に固着され、内部にポリエステルやアクリル等の化学繊維綿類を挿入したマット状部材を有することを特徴とする腰の体圧軽減癒しベルト。
【請求項３】
就寝中に腰に巻き、寝床平面に対する腰部の凹み部分を埋めて、就寝中の身体への荷重が平均化されるための腰の体圧軽減癒しベルトであって、
中間部に伸縮部材を有し、端部にマジックテープおよび該マジックテープ受けを備えた帯状のベルト部材、該ベルト部材の中央部分に固着され、内部に低反発クッションを挿入したマット状部材、該マット状部材の上面と前記ベルト部材間に着脱自在に固着され、中にマイクロビーズが挿入されている細長の枕状のマット部材からなり、上記細長の枕状マット部材により、就寝中の腰部側面と寝床平面との空間を埋めて支持したことを特徴とする腰の体圧軽減癒しベルト。
【請求項４】
前記マットの長手方向の長さが、８５〜１１５cmであり、該マイクロビーズの量に依存する上記マットの高さが、中央部で４〜６mm、長手方向側方部で０．８〜１．２cmであることを特徴とする前記請求項１〜３の内、いずれか１項記載の腰の体圧軽減癒しベルト。
【請求項５】
就寝中に膝に巻き、寝床平面に対する膝部の凹み部分を埋めて、就寝中の身体への荷重が平均化されるための膝の体圧軽減癒しベルトであって、
中間部に伸縮部材を有し、端部にマジックテープおよび該マジックテープ受けを備えた帯状のベルト部材、該ベルト部材の中央部分に固着され、内部にポリエステルやアクリル等の化学繊維綿類を挿入したマット状部材を有することを特徴とする膝の体圧軽減癒しベルト。
【考案の詳細な説明】
【技術分野】
【０００１】
この考案は、就寝時に腰に巻き、寝床（水平面）に対して平均的に身体の荷重が掛かるように、腰の部分のへこみ部分を埋める変形可能な枕状のマットを腰に固定して腰痛を緩和したり、褥瘡を予防するための腰の体圧軽減癒しベルトに関する。
【背景技術】
【０００２】
従来、腰に巻いて腰痛を防止し、あるいは、改善する腰痛ベルトや腰痛バンドは、数多く提案されている。
しかし、その大部分は、日常生活のための立ち仕事をしたり、運動をした時等の腰痛の発生を防止するものである。上記腰痛ベルトは、起きて活動するときの腰痛防止ベルトであり、起きている時は外し、就寝時のみ装着するベルトではない。
【０００３】
また、就寝時に腰の下に置き、体とマットとの空間を埋め、身体に部分的に偏在する荷重を無くして就寝中に腰痛を軽減するマットも知られている。
しかし、上記就寝時に腰の下に置く腰痛軽減マットは寝返りを打つとその位置がずれてしまって、就寝中ずっと荷重を軽減をする効果がない欠点がある。
【先行技術文献】
【特許文献】
【０００４】
【特許文献１】特開２０１１−３６５５３号公報
【特許文献２】特開２００３−７９７４７号公報
【考案の開示】
【考案が解決しようとする課題】
【０００５】
この考案は、上記従来の腰痛防止ベルトとは異なり、就寝時のみ使用する腰痛ベルトであって、上記従来の腰痛軽減マットの欠点を改善し、腰に巻くことで、就寝時寝返りを打っても位置ずれが生じない腰の体圧軽減マットを実現することを目的とする。
【課題を解決するための手段】
【０００６】
これを解決するため、本考案の腰の体圧軽減癒しベルトは、就寝中に腰に巻き、寝床平面に対する腰部の凹み部分を埋めて、就寝中の身体への荷重が平均化されるための腰の体圧軽減癒しベルトであって、中間部に伸縮部材を有し、端部にマジックテープおよび該マジックテープ受けを備えた帯状のベルト部材、該ベルト部材の中央部分に固着され、内部にマイクロビーズを挿入したマット状部材、該マット状部材の側面に設けられ、上記マイクロビーズの自然移動を防止すると共に、所定の間隔を中心部に設け、該マイクロビーズの手動による移動を可能にした縫い目を有すること、あるいは、本考案の腰の体圧軽減癒しベルトは、就寝中に腰に巻き、寝床平面に対する腰部の凹み部分を埋めて、就寝中の身体への荷重が平均化されるための腰の体圧軽減癒しベルトであって、中間部に伸縮部材を有し、端部にマジックテープおよび該マジックテープ受けを備えた帯状のベルト部材、該ベルト部材の中央部分に固着され、内部にポリエステルやアクリル等の化学繊維綿類を挿入したマット状部材を有することを特徴とする。
【０００７】
あるいは、本考案の腰の体圧軽減癒しベルトは、就寝中に腰に巻き、寝床平面に対する腰部の凹み部分を埋めて、就寝中の身体への荷重が平均化されるための腰の体圧軽減癒しベルトであって、中間部に伸縮部材を有し、端部にマジックテープおよび該マジックテープ受けを備えた帯状のベルト部材、該ベルト部材の中央部分に固着され、内部に低反発クッションを挿入したマット状部材、該マット状部材の上面と前記ベルト部材間に着脱自在に固着され、中にマイクロビーズが挿入されている細長の枕状のマット部材からなり、上記細長の枕状マット部材により、就寝中の腰部側面と寝床平面との空間を埋めて支持したことを特徴とする。
【０００８】
さらに、前記マットの長手方向の長さが、８５〜１１５cmであり、該マイクロビーズの量に依存する上記マットの高さが、中央部で４〜６mm、長手方向側方部で０．８〜１．２cmであることを特徴とする。
【０００９】
また、上記腰の体圧軽減癒しベルトの変形例として、本考案の膝の体圧軽減癒しベルトは、該ベルトを小型化し、就寝中に膝に巻き、寝床平面に対する膝部の凹み部分を埋めて、就寝中の身体への荷重が平均化されるための膝の体圧軽減癒しベルトであって、中間部に伸縮部材を有し、端部にマジックテープおよび該マジックテープ受けを備えた帯状のベルト部材、該ベルト部材の中央部分に固着され、内部にポリエステルやアクリル等の化学繊維綿類を挿入したマット状部材を有することを特徴とする。
【考案の効果】
【００１０】
この考案の腰の体圧軽減癒しベルトを用いれば、就寝中に寝返りを打っても、この考案の腰の体圧軽減癒しベルトは腰にまき付いているので、単に腰の下に敷いたマットとは異なり、身体の凹み部分との位置ずれが生じることはない。そして、就寝中の寝相に関わりなく、平坦な寝床に対する身体の荷重圧を一定に平均化する効果が保たれる。
【００１１】
このように、就寝中に寝床への不均一な荷重により腰痛を悪化させることがなく、腰が癒される顕著な効果を奏する。また、荷重が平均化され体圧が分散されるため、寝たきり老人等に用いれば、褥瘡の予防効果がある。
【００１２】
なお、上記腰の体圧軽減癒しベルトは、他の応用例として、車の運転中に用いると、腰の負担を軽減する効果がある。また、上記ベルトを小型化したものを就寝中に膝部に巻いて寝ると、膝部の褥瘡予防に顕著な効果を奏する。
【図面の簡単な説明】
【００１３】
【図１】この考案の腰の体圧軽減癒しベルトの第１の実施例の全体斜視図である。
【図２】図１の腰の体圧軽減癒しベルト１の使用状態を示す図である。。
【図３】本考案の腰の体圧軽減癒しベルト１の上面（身体の外側）から見た平面図である。
【図４】本考案腰の体圧軽減癒しベルト１の下面（身体の下側）から見た平面図である。
【図５】図１の横断面図である。
【図６】この考案の腰の体圧軽減癒しベルトの第２の実施例の全体斜視図である。
【図７】図６の腰の体圧軽減癒しベルト６の使用状態を示す図である。
【図８】本考案の腰の体圧軽減癒しベルト６の上面（身体の外側）から見た平面図である。
【図９】本考案腰の体圧軽減癒しベルト６の下面（身体の下側）から見た平面図である。
【図１０】図６の横断面図である。
【図１１】この考案の腰の体圧軽減癒しベルトの第３の実施例の全体斜視図である。
【図１２】図１１の腰の体圧軽減癒しベルト８や膝の体圧軽減癒しベルト５０の使用状態を示す図である。
【図１３】この考案の膝の体圧軽減癒しベルトの実施例の全体斜視図である。
【考案を実施するための形態】
【００１４】
以下、この考案の「腰の体圧軽減癒しベルト」の構造・動作について、詳細に説明する。
図１は、この考案の腰体圧軽減癒しベルトの第１の実施例１の全体斜視図を示す。
【００１５】
図２は、図１の腰の体圧軽減癒しベルト１の使用状態を示す。
図２に示すごとく、腰の体圧軽減癒しベルト１は、2のように就寝時に腰に巻いて就寝することにより腰の癒し効果を生じる。また、寝たきり老人等に用いれば、褥瘡の予防効果がある。さらには、運転中に用いれば、運転者の腰の癒し効果がある。
【００１６】
図２に示すごとく、本考案の腰の体圧軽減癒しベルト１は、就寝中に腰に巻き、寝床平面１２に対する腰部の凹み部分を埋めて、就寝中の身体への荷重が平均化される。該腰の体圧軽減癒しベルト１は、中間部に伸縮部材１３，１４を有し、端部にマジックテープ２０よび該マジックテープ受け１２（図５）を備えた帯状のベルト部材２、該ベルト部材２の中央部分に固着され、内部にマイクロビーズを挿入したマット状部材３、該マット状部材の側面に設けられ、上記マイクロビーズの自然移動を防止すると共に、所定の間隔を中心部に設け、該マイクロビーズの手動による移動を可能にした複数の縫い目４を有している。なお、縫い目は、通常の布団に用いられるように、複数の点で上下を縫い付けるものでもよい。
【００１７】
さらに、前記マットの長手方向の長さＬ（図１）が、８５〜１１５cmであり、該マイクロビーズの量に依存する上記マットの高さＨ(図５)が、中央部で４〜６mm、長手方向側方部で０．８〜１．２cmである。なお、幅Ｗ（図１）は、１０〜１５cmである。
【００１８】
図３は、上記腰の体圧軽減癒しベルト１の上面（身体の外側）から見た平面図である。また、図４は、上記腰の体圧軽減癒しベルト１の下面（身体の下側）から見た平面図である。３は、前記マイクロビーズを挿入したマット状部材３であり、１９は、同じく該裏面側のマット部材３を透視で示したものである。なお、身体への装着は、マイクロビーズを挿入したマット状部材３が寝床に対して身体の外側にきても、内側（下側）にきてもよい。
【００１９】
図５は、図１の横断面図を示す。図２のごとく、身体への装着は、図４に示される上記体圧軽減癒しベルト表面の端部に設けられたマジックテープ部分２０を図３に示される該体圧軽減癒しベルト裏面の端部に設けられたマジックテープ受け１２に貼り付けることにより腰に巻いて装着する。
【００２０】
装着時、あるいは、装着後、適宜上記マイクロビーズを左右に移動させ、寝たときに身体と寝床の空間が丁度埋められるように適宜調節する。
図６は、この考案の腰の体圧軽減癒しベルトの第２の実施例６の全体斜視図を示す。図７に、図６の腰の体圧軽減癒しベルト６の使用状態を示す。
【００２１】
図７に示すごとく、腰の体圧軽減癒しベルト６も、７のように就寝時に腰に巻いて就寝することにより腰の癒し効果を生じる。また、第１の実施例と同様に、該腰の体圧軽減癒しベルト６は、就寝中に腰に巻き、寝床平面に対する腰部の凹み部分を埋めて、就寝中の身体への荷重が平均化されるための腰の体圧軽減癒しベルトである。
【００２２】
この第２実施例においては、中間部に伸縮部材２７，２８を有し、端部にマジックテープ２６および該マジックテープ受け２５（図８）を備えた帯状のベルト部材６、該ベルト部材の中央部分に固着され、内部に低反発クッションを挿入したマット状部材２１、該マット状部材２１の上面と前記ベルト部材６間に着脱自在に固着され、中にマイクロビーズが挿入されている細長の枕状のマット部材２３，２４からなり、上記細長の枕状部材２３，２４が就寝中の腰部側面と寝床平面との空間を埋める支持部材となる。
【００２３】
図８は、上記腰の体圧軽減癒しベルト６の上面（身体の外側）から見た平面図である。また、図９は、上記腰の体圧軽減癒しベルト１の下面（身体の下側）から見た平面図である。２１は前記内部に低反発クッションを挿入したマット状部材であり、２３，２４は、枕状のマット部材である。該枕状マット部材２３，２４は、図８に透視図で示されるように、上記低反発クッションを挿入したマット状部材２１に３０，３１の部分で着脱自在に固着される。
【００２４】
なお、身体への装着は、上記マット状部材２１が寝床に対して身体の外側にきても、内側にきてもよい。低反発クッションを挿入したマット状部材２１は、前記ベルト部材に固着される。また、上記マイクロビーズを挿入した枕状マット状部材２３，２４の他端は、特に固定されていない。
【００２５】
図１０は、図６の横断面図を示す。図７のごとく、身体への装着は、図９に示される上記体圧軽減癒しベルト表面の端部に設けられたマジックテープ部分２６を図８に示される該体圧軽減癒しベルト裏面の端部に設けられたマジックテープ受け２５に貼り付けることにより腰に巻いて装着する。
【００２６】
装着時、あるいは、装着後、適宜上記枕部材のマイクロビーズを左右に移動させ、寝たときに身体と寝床の空間が丁度埋められるように適宜調節する。
図１１は、本考案の第３実施例である。図１１は、前記図６の変形例であり、図１２に示すごとく、腰の体圧軽減癒しベルト８も、就寝時に腰に巻いて就寝することにより腰の癒し効果を生じる。また、第１の実施例と同様に、該腰の体圧軽減癒しベルト８は、就寝中に腰に巻き、寝床平面に対する腰部の凹み部分を埋めて、就寝中の身体への荷重が平均化されるための腰の体圧軽減癒しベルトである。
【００２７】
この第３実施例においては、中間部に伸縮部材４２，４６を有し、端部にマジックテープ４７および該マジックテープ受け４１を備えた帯状のベルト部材８、該ベルト部材の中央部分に固着され、内部にポリエステルやアクリル等の化学繊維綿類を挿入したマット状部材４４を有する。マット状部材４４には、細長の枕状のマット部材４３，４５が延材している。上記細長の枕状延材部材４３，４５は就寝中の腰部側面と寝床平面との空間を埋める支持部材となる。
【００２８】
また、このようなマット部材付きベルトの変形例として、図１３の膝用のものも提案される。図１３において、左右の帯状部材（テープ）５１〜５４により、前記同様マジックテープで固定して、図１２の５５，５６に示すように膝に巻き付ける。このように、膝用マット部材を巻いて寝ると、寝たきり老人等の体圧が軽減され、褥瘡の予防効果がある。
【産業上の利用可能性】
【００２９】
本考案の体圧軽減癒しベルトは、就寝中の身体の腰の部分への偏在する荷重を平均化し、腰への荷重負担を減らすことにより、腰痛を改善し、あるいは、腰の疲れを癒す効果がある。また、寝たきり老人等に用いると褥瘡の予防効果があるので、利用価値が高く、産業上の利用性が高い。
【符号の説明】
【００３０】
１      腰の体圧軽減癒しベルト
３      マット状部材
４      縫い目
６      腰の体圧軽減癒しベルト
８      腰の体圧軽減癒しベルト
１３，１４      伸縮部材
２０      マジックテープ
１２      マジックテープ受け
２１      マット状部材
２３，２４      枕状マット部材
２５      マジックテープ受け
２６      マジックテープ
２７，２８      伸縮部材
４２，４６      伸縮部材
４７      マジックテープ
４１      マジックテープ受け
４４      マット状部材
４３，４５      枕状マット部材
５１      膝用マット部材
【図１】
0003170221.tif 000003
【図２】
0003170221.tif 000004
【図３】
0003170221.tif 000005
【図４】
0003170221.tif 000006
【図５】
0003170221.tif 000007
【図６】
0003170221.tif 000008
【図７】
0003170221.tif 000009
【図８】
0003170221.tif 000010
【図９】
0003170221.tif 000011
【図１０】
0003170221.tif 000012
【図１１】
0003170221.tif 000013
【図１２】
0003170221.tif 000014
【図１３】
0003170221.tif 000015